(57)【要約】【課題】沿面距離を確保しつつ薄型化ができる電気集塵ユニットを提供することを目的とする。【解決手段】空気調和機などの空気流路に設けられる本発明の電気集塵ユニットは、格子状に成形した前面パネル１と、高電圧を印可させることで放電機能を有する複数の針状電極２と、針状電極２と平行に設けた平行電極３と、電気集塵ユニットの下流側に設けられた集塵フィルター５と、集塵フィルター５を固定する収納枠６とで構成され、平行電極３は、平板の電極であり、その面は電気集塵ユニットを通過する風向と平行に配置することによって沿面距離を確保する。【選択図】図１
2007083100.tif 000002
【特許請求の範囲】
【請求項１】
複数の尖先部を持つ針状電極と、この針状電極を取り付ける格子状の前面パネルと、前記針状電極と平行に設けた平行電極と、集塵フィルターと、この平行電極と集塵フィルターを収納する収納枠とで構成される電気集塵ユニットにおいて、前記平行電極は、風向と平行に設けられた電極板とする電気集塵ユニット。
【請求項２】
前記収納枠または前記集塵フィルターのどちらか一方または両方の形状が網目状であることを特徴とする請求項１記載の電気集塵ユニット。
【請求項３】
前記針状電極の尖先部は下流方向に先端を向け、前記平行電極は複数の平行に設置された電極板で構成され、前記針状電極は前記平行電極の電極板の略中間に位置させたことを特徴とする請求項１または２記載の電気集塵ユニット。
【請求項４】
前記平行電極は、複数の電極板と、それぞれの電極板を接続する接続部と、電極板と接続板を接続する補強部によって構成され、針状電極の尖先部先端と補強部の最短距離が補強部の辺との距離にあたり、その針状電極の尖先部先端と補強部の最短距離Ｌ１と電極板と針状電極の尖先部先端との最短距離Ｌ２との関係が、Ｌ１≦Ｌ２となることを特徴とする請求項３記載の電気集塵ユニット。
【請求項５】
前記針状電極の尖先部は、風の流れる方向と垂直な方向に先端を向け、前記平行電極は針状電極の尖先部の先端が向いた方向と垂直面に設けられたことを特徴とする請求項１または２記載の電気集塵ユニット。
【請求項６】
請求項５記載の針状電極は複数の電極板で構成され、それらの電極板は平行に設置され、かつ、尖先部は針状電極の他の電極板の尖先部と対向するように先端を向けたことを特徴とする電気集塵ユニット。
【請求項７】
前記平行電極と集塵フィルターを同時に収納枠で抑えて固定することを特徴とする請求項１〜６いずれかに記載の電気集塵ユニット。
【請求項８】
前記前面パネルに丸ピンを設け、前記平行電極に丸穴を設け、前記収納枠に押え穴を設け、平行電極の丸穴と収納枠の押え穴に前面パネルに設けた丸ピンを嵌合させることを特徴とする請求項７記載の電気集塵ユニット。
【請求項９】
前記前面パネルの下流側に前記平行電極を固定する溝を設けたことを特徴とする請求項１〜８いずれかに記載の電気集塵ユニット。
【請求項１０】
前記平行電極に集塵フィルターを固定する枠を設けたことを特徴とする請求項１〜９いずれかに記載の電気集塵ユニット。
【発明の詳細な説明】
【技術分野】
【０００１】
本発明は、空気調和機の空気流路に設け、空気調和される空気中に含まれる粉塵等を除去する電気集塵ユニットに関する。
【背景技術】
【０００２】
従来、この種の電気集塵ユニットには針状の放電電極を設け、風路の下流側にフィルターを設けたものが知られている（例えば、特許文献１参照）。
【０００３】
以下、その電気集塵ユニットについて図１０を参照しながら説明する。
【０００４】
図に示すように、吸込口１０１および吹出口１０２を形成したフィルター枠１０３の吸込口１０１側に針状の放電電極１０４を設け、放電電極１０４と対向しフィルター枠１０３の吹出口１０２内にラスまたはパンチングメタル等の通気可能な略コの字状のアース電極１０５を設け、アース電極１０５の風下側にフィルター１０６を設け、フィルター装置１０７を形成していた。
【特許文献１】特開２００３−１０７３１号公報（〔００１４〕、図１）
【発明の開示】
【発明が解決しようとする課題】
【０００５】
このような従来の電気集塵ユニットでは、放電電極１０４の尖先部先端とアース電極１０５の沿面距離Ｄ１（尖先部とアース電極コの字状の底面との距離）は一定値以上確保しないと放電性能が得られない。そのため沿面距離Ｄ１を確保するため、放電電極１０４とアース電極１０５を高さ方向について離して設置しており電気集塵ユニットの厚みが大きくなるという課題があった。
【０００６】
本発明は、上記課題を解決するものであり、放電電極とアース電極の沿面距離を確保しつつ小型化可能な電気集塵ユニットを提供すること目的としている。
【課題を解決するための手段】
【０００７】
本発明の電気集塵ユニットは上記目的を達成するために、複数の尖先部を持つ針状電極と、この針状電極を取り付ける格子状の前面パネルと、前記針状電極と平行に設けた平行電極と、集塵フィルターと、この平行電極と集塵フィルターを収納する収納枠とで構成され、前記平行電極は、風向と平行に設けられたものである。
【０００８】
この手段により、針状電極と平行電極の沿面距離を確保しながら装置の薄型化をを図ることができる電気集塵ユニットを得られる。
【０００９】
また、他の手段は、収納枠または集塵フィルターのどちらか一方または両方の形状が網目状としたものである。
【００１０】
この手段により、電気集塵ユニット裏側から異物等が侵入して針状電極に直接触れたりしないよう防護することのできる電気集塵ユニットを得られる。
【００１１】
また、他の手段は、針状電極の尖先部は下流方向に先端を向け、平行電極は複数の平行に設置された電極板で構成され、針状電極は平行電極の電極板の略中間に位置させたものである。
【００１２】
この手段により、針状電極と平行電極の沿面距離を確保しながら装置の薄型化を図ることができる電気集塵ユニットを得られる。
【００１３】
また、他の手段は、平行電極は、複数の電極板と、それぞれの電極板を接続する接続部と、電極板と接続板を接続する補強部によって構成され、針状電極の尖先部先端と補強部の最短距離が補強部の辺との距離にあたり、その針状電極の尖先部先端と補強部の最短距離Ｌ１と電極板と針状電極の尖先部先端との最短距離Ｌ２との関係が、Ｌ１≦Ｌ２となるものである。
【００１４】
この手段により、複数の電極板で構成された平行電極をひとつの部品で構成することができる。また、平行電極電極板と針状電極先端部の距離は補強部と針状電極先端部との距離以下であるため、針状電極と平行電極間にできる電界に接続板及び補強部が影響することが少なくなる。
【００１５】
また、他の手段は、針状電極の尖先部は、風の流れる方向と垂直な方向に先端を向け、平行電極は針状電極の尖先部の先端が向いた方向と垂直面に設けられたものである。
【００１６】
この手段により、装置の薄型化ができる。
【００１７】
また、他の手段は、風の流れる方向と垂直な方向に先端を向けた針状電極は複数の電極板で構成され、それらの電極板は平行に設置され、かつ、尖先部は針状電極の他の電極板の尖先部と対向するように先端を向けたものである。
【００１８】
この手段により、平行電極の電極板の両側に均一に電界を形成することができる。
【００１９】
また、他の手段は、平行電極と集塵フィルターを同時に収納枠で抑えて固定するものである。
【００２０】
この手段により、部品点数を少なくして薄型化をはかり、かつ、組立作業が容易な電気集塵ユニットを提供できる。
【００２１】
また、他の手段は、前面パネルに丸ピンを設け、平行電極に丸穴を設け、収納枠に押え穴を設け、平行電極の丸穴と収納枠の押え穴に前面パネルに設けた丸ピンを嵌合させることを特徴とするものである。
【００２２】
この手段により、部品点数を少なくして薄型化をはかり、かつ、組立作業が容易な電気集塵ユニットを提供できる。また、金属のネジ等を用いずに固定でき、高電圧部を露出することがない。
【００２３】
また、他の手段は、前面パネルの下流側に平行電極を固定する溝を設けたことを特徴とするものである。
【００２４】
この手段により、薄板で構成された電極板を変形させることなく固定することができ、かつ、電極を露出することがなく固定できる。
【００２５】
また、他の手段は、平行電極に集塵フィルターを固定する枠を設けたものである。
【００２６】
この手段により、平行電極と集塵フィルターの接触面積を確保して、集塵フィルターを帯電し易くし、集塵効率をあげる効果がある。
【発明の効果】
【００２７】
本発明によれば、集塵性能を維持しつつ装置の薄型化に効果のある電気集塵ユニットを提供できる。
【００２８】
また、組立しやすく、電極の保護ができる電気集塵ユニットを提供することができる。
【発明を実施するための最良の形態】
【００２９】
本発明の請求項１記載の発明は、複数の尖先部を持つ針状電極と、この針状電極を取り付ける格子状の前面パネルと、前記針状電極と平行に設けた平行電極と、集塵フィルターと、この平行電極と集塵フィルターを収納する収納枠とで構成され、前記平行電極は、風向と平行に設けられたものであり、針状電極と平行電極の沿面距離を確保しながら装置の薄型化を図ることができる電気集塵ユニットを得られる。
【００３０】
また、本発明の請求項２記載の発明は、収納枠または集塵フィルターのどちらか一方または両方の形状が網目状としたものであり、電気集塵ユニット裏側から異物等が侵入して針状電極に直接触れたりしないよう防護することのできるものであり、防護専用の部材を用いることがないため、結果電気集塵ユニットの薄型化を図ることが可能になる。
【００３１】
また、本発明の請求項３記載の発明は、針状電極の尖先部は下流方向に先端を向け、平行電極は複数の平行に設置された電極板で構成され、針状電極は平行電極の電極板の略中間に位置させたものであり、針状電極と平行電極の沿面距離を確保しながら装置の薄型化を図ることができる電気集塵ユニットを得られる。
【００３２】
また、本発明の請求項４記載の発明は、平行電極は、複数の電極板と、それぞれの電極板を接続する接続部と、電極板と接続板を接続する補強部によって構成され、針状電極の尖先部先端と補強部の最短距離が補強部の辺との距離にあたり、その針状電極の尖先部先端と補強部の最短距離Ｌ１と電極板と針状電極の尖先部先端との最短距離Ｌ２との関係が、Ｌ１≦Ｌ２となるものであり、複数の電極板で構成された平行電極をひとつの部品で構成するため、電気集塵ユニットの薄型化、組立の簡略化を図ることができる。また、平行電極電極板と針状電極先端部の距離は補強部と針状電極先端部との距離以下であるため、針状電極と平行電極間にできる電界に接続板及び補強部が影響することが少なくなる。
【００３３】
また、本発明の請求項５記載の発明は、針状電極の尖先部は、風の流れる方向と垂直な方向に先端を向け、平行電極は針状電極の尖先部の先端が向いた方向と垂直面に設けられたものであり、電気集塵ユニットの薄型化を図ることができる。
【００３４】
また、本発明の請求項６記載の発明は、風の流れる方向と垂直な方向に先端を向けた針状電極は複数の電極板で構成され、それらの電極板は平行に設置され、かつ、尖先部は針状電極の他の電極板の尖先部と対向するように先端を向けたものであり、電気集塵ユニットの薄型化を図ることができ、平行電極の電極板の両側に均一に電界を形成することができる。
【００３５】
また、本発明の請求項７記載の発明は、平行電極と集塵フィルターを同時に収納枠で抑えて固定するものであり、部品点数を少なくして薄型化をはかり、かつ、組立作業が容易な電気集塵ユニットを提供できる。
【００３６】
また、本発明の請求項８記載の発明は、前面パネルに丸ピンを設け、平行電極に丸穴を設け、収納枠に押え穴を設け、平行電極の丸穴と収納枠の押え穴に前面パネルに設けた丸ピンを嵌合させることを特徴とするものであり、部品点数を少なくして薄型化をはかり、かつ、組立作業が容易な電気集塵ユニットを提供できる。また、金属のネジ等を用いずに固定でき、高電圧部を露出することがない。
【００３７】
また、本発明の請求項９記載の発明は、前面パネルの下流側に平行電極を固定する溝を設けたことを特徴とするものであり、薄板で構成された電極板を変形させることなく固定することができ、かつ、電極を露出することがなく固定することのできる電気集塵ユニットを提供することができる。
【００３８】
また、他の手段は、平行電極に集塵フィルターを固定する枠を設けたものである。
【００３９】
この手段により、平行電極と集塵フィルターの接触面積を確保して、集塵フィルターを帯電し易くし、集塵効率をあげる効果がある電気集塵ユニットを提供することができる。
【００４０】
以下、本発明の実施の形態について図面を参照しながら説明する。
【００４１】
（実施の形態１）
本発明の第１の実施の形態について、図１〜２を用いて説明する。
【００４２】
図１〜２に示すように、空気調和機（図示せず）などの空気流路に設けられる電気集塵ユニットは、格子状に成形した前面パネル１と、高電圧を印可させることで放電機能を有する複数の針状電極２と、針状電極２と平行に設けた平行電極３と、電気集塵ユニットの下流側に設けられた集塵フィルター５と、集塵フィルター５を固定する収納枠６とで構成される。
【００４３】
平行電極３は、複数の平板の電極であり、その面は電気集塵ユニットを通過する風向（図１の上から下の方向）と平行に配置する。それぞれの極板間の距離は略等しくし、その略中間の位置に針状電極２の尖先部先端が位置するようにする。また、集塵フィルター５または収納枠６は、網目状の形状を有している。
【００４４】
上記構成において、空気調和機（図示せず）等の空気流路に高電圧印可装置（図示せず）を介して取り付けた電気集塵ユニットに電気が流れると、吸込口となる前面パネル１に設けた針状電極２と平行電極組３間に印可されている高電圧（針状電極２側がマイナス）により、針状電極２の付近に大きな電界が形成され、また針状電極２から空気中に電子が放出される。この分離した電子が別の空気分子に結合するなどして空気分子がイオン化されて空気イオンとなり、空気イオンが電界の力によって拡散し、埃に付着して、埃を帯電させる。帯電した埃粒子は粒子同士の緩衝を防ぎ、集塵フィルター５に埃が、引き寄せられる。
【００４５】
電気集塵ユニットの集塵性能は、針状電極２と平行電極３の間の沿面距離に影響する。沿面距離はできるだけ大きく取ったほうが良いが、装置の外形寸法が大きくなったり、印加電圧を大きく取る必要があるなど欠点も多い。そのため、本実施の形態では、限られた外形寸法の中でできるだけ沿面距離を大きく取るため、風向の下流側に平行電極の電極板を設けず、平行電極は風向と平行な電極板のみで構成する。下流側に電極板を設けると、沿面距離は下流側の電極板と針状電極尖先部先端との距離となり、沿面距離を確保すると装置の厚さが増大し、薄型化につながらないためである。
【００４６】
上記のように、平行電極３を風向と平行な面だけの電極板で構成すると、下流側から針状電極２の尖先部が露出する形になる。針状電極２の尖先部は先端が鋭角にとがった形状をしており、異物に触れると変形しやすい。そのため、電気集塵ユニットの針状電極２の下流側に配置する集塵フィルター５または収納枠６を網目状の形状とすることによって針状電極２の尖先部を防護するようにしている。このことにより、専用の部品を用いることなく針状電極２を防護することができるので、結果装置の薄型化を図ることができる。
【００４７】
なお、集塵フィルター５と収納枠６は一体成型し、収納枠６を平行電極３に接触させてもよい。そうすることにより、収納枠６自体が集塵フィルターの機能を持つことが可能になる。その際には、部品点数が少なくなることによって薄型化でき、さらには組立工数の削減、コストダウンが出来る。
【００４８】
また、針状電極２の尖先部を平行電極３の電極板の略中間に位置させることにより、電気集塵ユニット内に形成される電界を略均一に分布させることができる。
【００４９】
（実施の形態２）
本発明の第２の実施の形態を図３〜４を用いて説明する。第１の実施の形態と同じ構成のものについては同じ符号を付し、詳細な説明を省略する。
【００５０】
図３〜４において、平行電極３は、複数の電極板３ａを接続板３ｂによって接続している。電極板３ａと接続板３ｂの接続箇所には補強のため補強部３ｃを設ける。補強部３ｃは、補強部３ｃと針状電極２の尖先部との最短距離となる点（Ａ）が補強部３ｃの辺部にあたるような形状を有している。さらに補強部３ｃと針状電極２の尖先部との最短距離Ｌ２と、電極板３ａと針状電極２の尖先部との最短距離Ｌ１との関係を、Ｌ１≦Ｌ２となるように接続板３ｂの位置、及び補強部３ｃの形状を調整する。
【００５１】
上記の構成により、電極板３ａを接続板３ｂで接続することによって、平行電極３は一体で作ることが可能になり、電気集塵ユニットの薄型化、組立の簡略化を図ることができる。また、接続板３ｂと電極板３ａを接続する箇所に補強部３ｃを設けることにより、電極板３ａと接続板３ｂの接続強度を確保することが可能になる。さらに、補強部３ｃと針状電極２の尖先部との最短距離Ｌ２を電極板３ａとの最短距離Ｌ１より大きくすることによって沿面距離は最短距離Ｌ１に支配されることになり、電気集塵ユニット内に形成される電界を均一に分布させることが可能になる。
【００５２】
（実施の形態３）
本発明の第３の実施の形態を図５〜６を用いて説明する。第１〜２の実施の形態と同じ構成のものについては同じ符号を付し、詳細な説明を省略する。
【００５３】
図５〜６に示すように、空気調和機（図示せず）などの空気流路に設けられる電気集塵ユニットは、格子状に成形した前面パネル１１と、高電圧を印可させることで放電機能を有する複数の針状電極１２と、針状電極１２と平行に設けた平行電極１３と、電気集塵ユニットの下流側に設けられた集塵フィルター１５と、集塵フィルター１５を固定する収納枠１６とで構成される。
【００５４】
針状電極１２は、複数の電極板に先端が尖った尖先部を持ち、その尖先部は風向と直角な方向で、向かい合った電極板同士の尖先部が対向するように形成する。平行電極１３は、針状電極１２の電極板の略中間に針状電極１２の尖先部の向いた方向に直角（風向と平行）に配置する。
【００５５】
上記構成により、針状電極１２の尖先部は風向と直角に形成するため、沿面距離Ｌを風向に対して直角に取ることが可能になり、装置の厚さをとらなくてよく、薄型化を実現できる。
【００５６】
（実施の形態４）
本発明の第４の実施の形態を図７〜８を用いて説明する。第１〜３の実施の形態と同じ構成のものについては同じ符号を付し、詳細な説明を省略する。
【００５７】
図７〜８に示すように、平行電極３の端部には、丸穴３ｄを設け、前面パネル１には丸ピン１ａを設け、さらに収納枠６には丸穴６ａを設ける。平行電極３には、集塵フィルター５の枠３ｅを設けてある。
【００５８】
上記構成により、平行電極３、集塵フィルター５を前面パネル１の裏側（風下側）に装着するには、平行電極３の丸穴３ｄに前面パネル１の丸ピン１ａを嵌め込む。さらに平行電極３の風下側に集塵フィルター５を枠３ｅに接するように装着する。集塵フィルター５を固定するため、収納枠６を前面パネル１に嵌合させる。その際、収納枠６の丸穴６ａに前面パネル１の丸ピン１ａを嵌め込んで固定する。このことにより、平行電極３を金属ネジなどを用いずに簡単に固定することができる。また、金属ネジを用いて電極を固定すると、ネジ部分が電位となって針状電極との距離が近い部分ができる。樹脂製の丸ピン１ａによって固定することにより電位の突出部分がなくなり、沿面距離に影響を及ぼさない。
【００５９】
さらに、平行電極３、集塵フィルター５を収納枠６によって同時に固定するため、簡単に組立ができる。
【００６０】
また、集塵フィルター５は平行電極３の枠３ｅによって電極との接触面積が確保されている。そのため、集塵フィルター５は充分に帯電することができ、集塵し易くなる効果がある。
【００６１】
（実施の形態５）
本発明の第５の実施の形態を図９を用いて説明する。第１〜４の実施の形態と同じ構成のものについては同じ符号を付し、詳細な説明を省略する。
【００６２】
図９に示すように、前面パネル１の短手方向の桟の裏側（風下側）には、溝１ｂが数箇所に設けてある。平行電極３はこの溝１ｂに嵌め込んでいって前面パネル１に固定する。
【００６３】
電極板が変形すると、電圧を印加した際にできる電界に場所によって強弱ができる。そのため変形した電極板では効率的な集塵ができない。平行電極３は薄板で構成されているため、変形し易いが、この溝１ｂに固定することによって変形を防ぎ、確実に固定できる効果がある。
【００６４】
なお、溝１ｂの数は電極板の変形を防ぐ程度の数でよい。
【産業上の利用可能性】
【００６５】
薄型で集塵できることを生かし、小型の空気清浄機やマイナスイオン発生器等の用途にも適用できる。
【図面の簡単な説明】
【００６６】
【図１】本発明の実施の形態１の電気集塵ユニットの電極の構成を示す断面図
【図２】同、電気集塵ユニットの裏面を示す斜視図
【図３】本発明の実施の形態２の平行電極を示す斜視図
【図４】同、実施の形態２の平行電極と針状電極を装着したときの位置関係を示す斜視図
【図５】本発明の実施の形態３の電気集塵ユニットの電極の構成を示す断面図
【図６】同、電気集塵ユニットの構成を示す斜視図
【図７】本発明の実施の形態４の電気集塵ユニットの構成を示す斜視図
【図８】同、組立状態を示す斜視図
【図９】本発明の実施の形態５の電気集塵ユニットの前面パネルの構成を示す斜視図
【図１０】従来の電気集塵ユニットの構成を示す断面図
【符号の説明】
【００６７】
１      前面パネル
１ａ    丸ピン
１ｂ    溝
２      針状電極
３      平行電極
３ａ    電極板
３ｂ    接続板
３ｃ    補強部
３ｄ    丸穴
３ｅ    枠
５      集塵フィルター
６      収納枠
６ａ    丸穴
１１    前面パネル
１２    針状電極
１３    平行電極
１５    集塵フィルター
１６    収納枠
【図１】
2007083100.tif 000003
【図２】
2007083100.tif 000004
【図３】
2007083100.tif 000005
【図４】
2007083100.tif 000006
【図５】
2007083100.tif 000007
【図６】
2007083100.tif 000008
【図７】
2007083100.tif 000009
【図８】
2007083100.tif 000010
【図９】
2007083100.tif 000011
【図１０】
2007083100.tif 000012